(57)【要約】【課題】多くのキャスターを設けた場合でも、移動時の操作性を確保可能なパーティションを提供する。【解決手段】パーティションは、複数のパネル４０Ａ〜４０Ｇおよびキャスター群を備える。キャスター群には、折り畳み状態において隣接する２つのキャスターからなるキャスター組が含まれる。上面視において、車輪軸はシャフトの中心軸線から離れて位置し、車輪のうち第１領域内に位置して中心軸線から最も離れた部分における中心軸線からの距離をＤ１、第２領域内に位置して中心軸線から最も離れた部分における中心軸線からの距離をＤ２、同一のキャスター組に含まれる２つのキャスターの中心軸線同士の間の距離をＬ１、同一のキャスター組に含まれていない２つのキャスターの中心軸線同士の間の距離をＬ２とするとき、Ｄ１＋Ｄ２＜Ｌ１＜２×Ｄ１かつ２×Ｄ１＜Ｌ２を満足する。【選択図】図７
2019082018.tif 000002
【特許請求の範囲】
【請求項１】
互いのパネル面を向い合せた折り畳み状態と、前記折り畳み状態から前記パネル面同士のなす角を広げた展開状態との間で、位置を変化させることが可能な複数のパネルと、
前記複数のパネルの下端部に設けられた３つ以上のキャスターからなるキャスター群と、を備え、
前記キャスター群には、前記折り畳み状態において隣接する２つの前記キャスターからなるキャスター組が含まれ、
前記キャスター群に含まれる前記キャスターはそれぞれ、上下方向に延びるシャフトと、車輪軸回りに回転可能かつ前記シャフトの中心軸線回りに旋回可能に設けられた車輪と、を有し、
上面視において、
前記車輪軸は前記中心軸線から離れて位置し、
前記中心軸線を通り、かつ前記車輪軸に平行な仮想線を境として、前記車輪軸が位置する側を第１領域、前記車輪軸が位置しない側を第２領域とし、
前記車輪のうち前記第１領域内に位置して前記中心軸線から最も離れた部分における前記中心軸線からの距離をＤ１とし、
前記車輪のうち前記第２領域内に位置して前記中心軸線から最も離れた部分における前記中心軸線からの距離をＤ２とし、
同一の前記キャスター組に含まれる２つのキャスターの中心軸線同士の間の距離をＬ１とし、
同一の前記キャスター組に含まれていない２つのキャスターの中心軸線同士の間の距離をＬ２とするとき、
Ｄ１＋Ｄ２＜Ｌ１＜２×Ｄ１かつ２×Ｄ１＜Ｌ２を満足する、パーティション。
【請求項２】
前記キャスター群には、４つ以上の前記キャスターが含まれ、
上面視において、前記折り畳み状態における前記複数のパネルがそれぞれ延びる方向をパネル幅方向とし、前記パネル幅方向に直交する方向を直交方向とするとき、
前記折り畳み状態において、前記パネル幅方向で隣接する２つのキャスター組のうち、一方の前記キャスター組に含まれるキャスターの１つは前記複数のパネルの前記パネル幅方向における一端部に位置し、他方の前記キャスター組に含まれるキャスターの１つは前記複数のパネルの前記パネル幅方向における他端部に位置している、請求項１に記載のパーティション。
【請求項３】
上面視において、前記折り畳み状態における前記複数のパネルがそれぞれ延びる方向をパネル幅方向とし、前記パネル幅方向に直交する方向を直交方向とするとき、
同一のキャスター組に含まれる２つのキャスターは、前記直交方向で隣接する２つのパネルにそれぞれ設けられ、当該２つのパネルを互いに揺動可能に接続するヒンジは、パネル幅方向において、当該２つのキャスターが配された側の反対側に位置している、請求項１または２に記載のパーティション。
【発明の詳細な説明】
【技術分野】
【０００１】
本発明は、パーティションに関する。
【背景技術】
【０００２】
従来から、下記特許文献１に示されるように、折り畳み状態と展開状態との間で位置を変化させることが可能な複数のパネルと、複数のパネルの下端部に設けられたキャスター群と、を備えたパーティションが知られている。キャスターはそれぞれ、シャフトと車輪とを有しており、車輪は、床面に対して回転しつつ、シャフトの中心軸線を中心として旋回可能となっている。パーティションを移動させる際は、キャスターがシャフトの中心軸線を中心として旋回するため、スムーズに移動方向を転換させることができる。
【先行技術文献】
【特許文献】
【０００３】
【特許文献１】特表２０１３−５２５６３８号公報
【発明の概要】
【発明が解決しようとする課題】
【０００４】
この種のパーティションでは、展開状態におけるパネルの姿勢を安定させるために、複数のパネルに多くのキャスターを設ける場合がある。しかしながら、キャスターの数が多いと、パネルを折り畳み状態としたときにキャスター同士が干渉してロックしまい、車輪の旋回が妨げられ、パネル折り畳み状態におけるパーティションの移動時の操作性が低下してしまう場合があった。
【０００５】
本発明はこのような事情を考慮してなされたもので、多くのキャスターを設けた場合でも、パネル折り畳み状態における移動時の操作性を確保可能なパーティションを提供することを目的とする。
【課題を解決するための手段】
【０００６】
上記課題を解決するために、本発明の第１態様に係るパーティションは、互いのパネル面を向い合せた折り畳み状態と、前記折り畳み状態から前記パネル面同士のなす角を広げた展開状態との間で、位置を変化させることが可能な複数のパネルと、前記複数のパネルの下端部に設けられた３つ以上のキャスターからなるキャスター群と、を備え、前記キャスター群には、前記折り畳み状態において隣接する２つの前記キャスターからなるキャスター組が含まれ、前記キャスター群に含まれる前記キャスターはそれぞれ、上下方向に延びるシャフトと、車輪軸回りに回転可能かつ前記シャフトの中心軸線回りに旋回可能に設けられた車輪と、を有し、上面視において、前記車輪軸は前記中心軸線から離れて位置し、前記中心軸線を通り、かつ前記車輪軸に平行な仮想線を境として、前記車輪軸が位置する側を第１領域、前記車輪軸が位置しない側を第２領域とし、前記車輪のうち前記第１領域内に位置して前記中心軸線から最も離れた部分における前記中心軸線からの距離をＤ１とし、前記車輪のうち前記第２領域内に位置して前記中心軸線から最も離れた部分における前記中心軸線からの距離をＤ２とし、同一の前記キャスター組に含まれる２つのキャスターの中心軸線同士の間の距離をＬ１とし、同一の前記キャスター組に含まれていない２つのキャスターの中心軸線同士の間の距離をＬ２とするとき、Ｄ１＋Ｄ２＜Ｌ１＜２×Ｄ１かつ２×Ｄ１＜Ｌ２を満足する。
【０００７】
上記第１態様によれば、２×Ｄ１＜Ｌ２を満足することで、パネルを折り畳み状態としてパーティションを移動させた際に、異なるキャスター組に含まれるキャスター同士が干渉することが抑えられる。また、Ｄ１＋Ｄ２＜Ｌ１＜２×Ｄ１を満足することで、同一のキャスター組に含まれる２つのキャスター同士が干渉してロックするのを抑えながら、当該２つのキャスターを近づけて配置することができる。従って、多くのキャスターを設けた場合でも、キャスター同士がロックするのを抑え、パーティションの移動時の操作性を確保することができる。
【０００８】
ここで、前記キャスター群には、４つ以上の前記キャスターが含まれ、上面視において、前記折り畳み状態における前記複数のパネルがそれぞれ延びる方向をパネル幅方向とし、前記パネル幅方向に直交する方向を直交方向とするとき、前記折り畳み状態において、前記パネル幅方向で隣接する２つのキャスター組のうち、一方の前記キャスター組に含まれるキャスターの１つは前記複数のパネルの前記パネル幅方向における一端部に位置し、他方の前記キャスター組に含まれるキャスターの１つは前記複数のパネルの前記パネル幅方向における他端部に位置していてもよい。
【０００９】
この場合、折り畳み状態において、パネル幅方向で隣接する２つのキャスター組が、複数のパネルにおけるパネル幅方向における両端部に位置することとなり、折り畳み状態におけるパネルの姿勢の安定性を高めることができる。
【００１０】
また、上面視において、前記折り畳み状態における前記複数のパネルがそれぞれ延びる方向をパネル幅方向とし、前記パネル幅方向に直交する方向を直交方向とするとき、同一のキャスター組に含まれる２つのキャスターは、前記直交方向で隣接する２つのパネルにそれぞれ設けられ、当該２つのパネルを互いに揺動可能に接続するヒンジは、パネル幅方向において、当該２つのキャスターが配された側の反対側に位置していてもよい。
【００１１】
この場合、直交方向で隣接する２つのパネルを展開した際、同一のキャスター組に属する２つのキャスター同士が互いに大きく離間するため、展開状態におけるパネルの姿勢の安定性を高めることができる。
【発明の効果】
【００１２】
本発明によれば、多くのキャスターを設けた場合でも、移動時の操作性を確保可能なパーティションを提供することができる。
【図面の簡単な説明】
【００１３】
【図１】本実施形態に係るパーティションの展開状態における斜視図である。
【図２】図１のパーティションの上面図である。
【図３】図１のパーティションの正面図である。
【図４】折り畳み状態におけるパーティションの上面図である。
【図５】（ａ）は図１の揺動支持部近傍の上面図である。（ｂ）は（ａ）の正面図である。
【図６】（ａ）はキャスターの上面図である。（ｂ）はキャスターの側面図である。
【図７】折り畳み状態における各キャスターの位置を示した上面図である。
【発明を実施するための形態】
【００１４】
以下、本実施形態のパーティションについて図面に基づいて説明する。なお、以下の説明で用いる図面は、特徴をわかりやすくするために、便宜上特徴となる部分を拡大して示している場合があり、各構成要素の寸法比率などが実際と同じであるとは限らない。また、本発明は以下の実施形態に限定されない。
【００１５】
図１に示すように、パーティション１は、複数の土台用キャスター（走行体）５０が設けられた土台１０と、土台１０に立設された支柱２０と、支柱２０を介して土台１０に接続されたパネル群３０と、を備える。パネル群３０は、図１〜３に示す展開状態と、図４および図７に示す折り畳み状態と、の間で、土台１０に対する位置を変化させることができるように構成されている。パネル群３０は、支柱２０に接続された第１パネル４０Ａと、第１パネル４０Ａに連結された第２パネル４０Ｂと、第２パネル４０Ｂに連結された複数の副パネル４０Ｃ〜４０Ｇと、を含んでいる。各パネル４０Ａ〜４０Ｇは、板状を呈している。折り畳み状態は、各パネル４０Ａ〜４０Ｇのパネル面（パネル本体４２の面）を互いに向い合せた状態であり、展開状態は、折り畳み状態から前記パネル面同士のなす角を広げた状態である。
【００１６】
（方向定義）
ここで本実施形態では、ＸＹＺ直交座標系を設定して各構成の位置関係を説明する。Ｚ軸が延びる方向は上下方向である。Ｙ軸が延びる方向（パネル幅方向）は、パネル群３０が折り畳まれた状態（図４参照）において、上面視で各パネル４０Ａ〜４０Ｇが延びる方向である。Ｘ軸が延びる方向（直交方向）は、パネル幅方向および上下方向の双方に直交する方向である。以下、パネル幅方向における一方側を単に＋Ｙ側といい、パネル幅方向における他方側を単に−Ｙ側という。同様に、直交方向における一方側を単に＋Ｘ側といい、直交方向における他方側を単に−Ｘ側という。
以下の説明では、パネル群３０を展開させた際に、パネル群３０の−Ｘ側の端部が土台１０から直交方向に最も離れる状態を「展開状態」という。すなわち、以下の説明における展開状態とは、各パネル４０Ａ〜４０Ｇが最も開かれた状態をいう。
【００１７】
（土台）
図１および図２に示すように、土台１０は、パネル幅方向に延びる縦梁部１１と、縦梁部１１のパネル幅方向における両端部にそれぞれ配された一対の横梁部１２と、を備えている。縦梁部１１は、表裏面が上下方向を向く板状に形成されている。上面視において、縦梁部１１は、パネル幅方向における長さが直交方向における長さよりも大きい長方形状に形成されている。縦梁部１１のパネル幅方向における長さは、折り畳み状態にある各パネル４０Ａ〜４０Ｃのパネル幅方向における幅よりも大きい。一対の横梁部１２はそれぞれ、縦梁部１１のパネル幅方向における両端部を基点として、＋Ｘ側および−Ｘ側の双方に向けて延びている。折り畳み状態にある各パネル４０Ａ〜４０Ｇは、上面視において、一対の横梁部１２同士の間に位置する（図４参照）。
【００１８】
一対の横梁部１２の直交方向における両端部の下面にはそれぞれ、土台１０を移動可能に支持する土台用キャスター５０が取り付けられている。土台用キャスター５０は、この土台用キャスター５０の床面に対する走行を規制するロック機構を有している。なお、土台用キャスター５０に代えて、戸車などの他の走行体を土台１０に設けてもよい。
展開状態では、各パネル４０Ａ〜４０Ｇがパネル幅方向に倒れやすい状態となる。土台１０は、各パネル４０Ａ〜４０Ｇの倒れを抑止するため、比較的質量の大きい部材となっている。
【００１９】
（支柱）
支柱２０は、縦梁部１１のパネル幅方向における中央部に立設されている。支柱２０は、表裏面がパネル幅方向を向く板状に形成されている。支柱２０は、各パネル４０Ａ〜４０Ｇを支えて、これらのパネル４０Ａ〜４０Ｇが倒れることを抑止する役割を有している。このため、支柱２０も土台１０と同様に、比較的質量の大きい部材となっている。
【００２０】
図１に示すように、支柱２０のうち、＋Ｘ側を向く端面には、操作部６０が設けられている。操作部６０は、パーティション１を移動させる場合に、使用者が把持して押したり引いたりする部分である。操作部６０は、上下方向に延びる把持部６１と、把持部６１の上下両端部から−Ｘ側に延びる一対の連結部６２と、を有し、パネル幅方向から見てＣ字状に形成されている。把持部６１は、縦梁部１１よりも＋Ｘ側に位置している。連結部６２は、把持部６１を支柱２０に連結している。
【００２１】
図４に示すように、支柱２０のうち−Ｘ側を向く端面には、当接部材２６が設けられている。当接部材２６は、支柱２０に固定された固定部２６ａと、折り畳み状態の第１パネル４０Ａに当接する当接部２６ｃと、固定部２６ａおよび当接部２６ｃを互いに接続する接続部２６ｂと、を有し、上面視でＺ字状に形成されている。当接部材２６は曲げられた板状の部材であり、固定部２６ａおよび当接部２６ｃの各表裏面は直交方向を向き、接続部２６ｂの表裏面はパネル幅方向を向いている。
【００２２】
図１に示すように、支柱２０の上端部および下端部にはそれぞれ、オフセット部材２１が設けられている。一対のオフセット部材２１は、支柱２０の−Ｙ側を向く端面から、−Ｙ側に向けて延びている。一対のオフセット部材２１の−Ｙ側の端部にはそれぞれ、揺動支持部２２が設けられている。一対の揺動支持部２２は、オフセット部材２１および支柱２０を介して土台１０に固定されている。一対の揺動支持部２２は、第１パネル４０Ａを上下方向で挟んで配置されている。
【００２３】
（揺動支持部）
一対の揺動支持部２２は、互いに同様の構成を有している。以下、一対の揺動支持部２２を代表させて、上側の揺動支持部２２の構成について説明する。図５（ｂ）に示すように、上側の揺動支持部２２の下面には、上方に向けて窪む凹部２２ａが形成されている。凹部２２ａは、揺動支持部２２の−Ｘ側の端部から、揺動支持部２２の直交方向における中央部にかけて形成されている。図５（ａ）に示すように、凹部２２ａの内面の少なくとも一部は、−Ｙ側を向き、＋Ｙ側に向かうに従って漸次−Ｘ側に向けて延びる傾斜面２２ｂとされている。揺動支持部２２には、上下方向に延びるピンＰが設けられている。ピンＰの少なくとも一部は、凹部２２ａ内に位置しており、ピンＰの下端部は第１パネル４０Ａの不図示の孔部内に遊嵌されている。この構成により、揺動支持部２２が第１パネル４０Ａを揺動可能に支持している。
【００２４】
また、図５（ａ）では、展開状態にある第１パネル４０Ａを実線で示し、折り畳み状態にある第１パネル４０Ａを２点鎖線で示している。図５（ａ）の実線で示すように、第１パネル４０Ａが展開状態にある場合、第１パネル４０Ａの後述する上フレーム４３が、傾斜面２２ｂに当接する。この構成により、第１パネル４０Ａの土台１０に対する所定量以上の揺動が規制される。
【００２５】
以上説明した通り、各揺動支持部２２には、上下方向における内側の端面から上下方向における外側に向けて窪む凹部２２ａが形成され、凹部２２ａの内面の少なくとも一部が、−Ｙ側を向き、＋Ｙ側に向かうに従って漸次−Ｘ側に向けて延びる傾斜面２２ｂとされている。また、各揺動支持部２２には、上下方向に延びるピンＰが設けられ、ピンＰの上下方向における内側の端部は、第１パネル４０Ａの不図示の孔部内に遊嵌されている。この構成により、一対の揺動支持部２２は、第１パネル４０Ａを揺動可能に支持している。
なお、揺動支持部２２の構成は、上記に限定されない。例えば揺動支持部２２が、第１パネル４０Ａをオフセット部材２１に対して揺動可能に接続する蝶番などを有していてもよい。
【００２６】
（パネル群）
図１に示すように、各パネル４０Ａ〜４０Ｇは、蛇腹状に接続されており、直交方向に展開可能に構成されている。パネル４０Ａ〜４０Ｇの下端部には、後述するキャスター群９０Ａ〜９０Ｅが設けられている。
第１パネル４０Ａは、パネル群３０のうち、最も土台１０側に位置している。第１パネル４０Ａは、揺動支持部２２によって、土台１０および支柱２０に対して揺動可能に支持されている。揺動支持部２２は、第１パネル４０Ａの−Ｙ側の端部を支持している。第１パネル４０Ａと第２パネル４０Ｂ、第２パネル４０Ｂと副パネル４０Ｃ、および副パネル４０Ｃ〜４０Ｇ同士は、ヒンジ８０Ａ〜８０Ｆによって、互いに揺動可能に連結されている。
【００２７】
図４に示すように、折り畳み状態において、各パネル４０Ａ〜４０Ｇおよび操作部６０の、パネル幅方向における各中央部は、土台１０のパネル幅方向における中央部と、パネル幅方向において略同等の位置に配置されている。すなわち、各パネル４０Ａ〜４０Ｇ、操作部６０、および土台１０のパネル幅方向における各中央部が、上面視において、同一の直線Ｃ上に位置している。
【００２８】
各パネル４０Ａ〜４０Ｇは同様の構成を有しているため、これらのパネル４０Ａ〜４０Ｇを代表させて第１パネル４０Ａの構成について説明する。図３に示すように、第１パネル４０Ａは、長方形の枠状に形成されたフレーム４１と、フレーム４１内に嵌め込まれたパネル本体４２と、を備えている。フレーム４１は、上フレーム４３、一対の縦フレーム４４、および下フレーム４５を有している。上フレーム４３はパネル本体４２の上方に位置し、下フレーム４５はパネル本体４２の下方に位置している。上フレーム４３および下フレーム４５は、第１パネル４０Ａが折り畳み状態にある場合、パネル幅方向に延びている。一対の縦フレーム４４は、上下方向に延びており、上フレーム４３および下フレーム４５のパネル幅方向における両端部同士を接続している。
【００２９】
図１に示すように、パネル群３０のうち、最も−Ｘ側に位置する副パネル４０Ｇには、副操作部７０が設けられている。副操作部７０は、上下方向に延びる把持部７１と、把持部７１の上下両端部と副パネル４０Ｇとを接続する一対の連結部７２と、を有している。副操作部７０は、操作部６０と同一種類の部品であってもよい。例えば土台１０に設けられた土台用キャスター５０のロック機構などを作動させて土台１０を固定した状態で、副操作部７０を把持して−Ｘ側に引っ張ると、パネル群３０を展開することができる。
【００３０】
（キャスター群）
パネル群３０には、複数のキャスター９０Ａ〜９０Ｅを含むキャスター群が取り付けられている。キャスター９０Ａ〜９０Ｅは、互いに同様の構成を有しているため、これらを代表させてキャスター９０Ａの構成について説明する。
【００３１】
図１に示すように、キャスター９０Ａは、上下方向に延びるシャフト９１と、シャフト９１の下端部に設けられた車輪９２と、を有している。キャスター９０Ａのシャフト９１の上端部は、パネル４０Ａの下フレーム４５における下端面に設けられた孔（不図示）に挿入されている。これにより、キャスター９０Ａは、パネル４０Ａに取り付けられている。なお、下フレーム４５の下端面には、シャフト９１を挿入するための複数の孔が設けられており、いずれの孔にシャフト９１を挿入するかを選択することで、キャスター９０Ａの取り付け位置を容易に変更することができる。
【００３２】
図６（ａ）、（ｂ）に示すように、本実施形態では、シャフト９１の上下方向に延びる中心軸線を中心軸線Ｏという。車輪９２は、中心軸線Ｏ回りに旋回可能となっている。また、車輪９２は、車輪９２の中心軸（以下、車輪軸Ｗ１という）回りに回転可能となっている。車輪軸Ｗ１は、シャフト９１の中心軸線Ｏに対して、ΔＷの距離を隔てた位置に配置されている。このように、車輪軸Ｗ１がシャフト９１の中心軸線Ｏに対して偏心していることにより、パーティション１の移動方向を変化させると、その移動方向に倣って車輪９２が中心軸線Ｏ回りに旋回する。
【００３３】
ここで本実施形態では、図６（ａ）に示すように、上面視において、中心軸線Ｏを通って車輪軸Ｗ１に平行な仮想線Ｗ２を引いたとき、仮想線Ｗ２を境として、車輪軸Ｗ１が位置する側を第１領域Ａ１といい、車輪軸Ｗ１が位置しない側を第２領域Ａ２という。また、車輪９２のうち、第１領域Ａ１内に位置して中心軸線Ｏから最も離れた点における中心軸線Ｏからの距離をＤ１と表し、第２領域Ａ２内に位置して中心軸線Ｏから最も離れた点における中心軸線Ｏからの距離をＤ２と表す。また、上面視において、中心軸線Ｏを中心とする半径Ｄ１の円弧を仮想円Ｒ１と表し、中心軸線Ｏを中心とする半径Ｄ２の円弧を仮想円Ｒ２と表す。上面視において、車輪９２のうち、第１領域Ａ１に位置する部分は仮想円Ｒ１に内接し、第２領域Ａ２に位置する部分は仮想円Ｒ２に内接する。
【００３４】
ここで本願発明者は、各キャスターの中心軸線Ｏ同士の上面視における位置関係を工夫することで、パネルを折り畳み状態としてパーティション１を移動させる際に車輪９２同士が干渉してロックせず、かつ多くのキャスターを設けられることを見出した。具体的には、隣接する２つのキャスターの中心軸線Ｏ同士の距離が２×Ｄ１より小さくても、これら２つのキャスターがロックせずに各中心軸線Ｏ回りに旋回可能である。その一方で、ある１つのキャスターの中心軸線Ｏに対して、他の２つ以上のキャスターの中心軸線Ｏが距離２×Ｄ１以内に位置している場合には、パーティション１の移動方向を変化させた際にキャスター同士がロックし、車輪９２の旋回を妨げてしまう場合がある。
以下、図７を用いて、より詳細に説明する。
【００３５】
図７に示すように、折り畳み状態において、キャスター９０Ｂおよびキャスター９０Ｃは互いに隣接しており、第１キャスター組Ｇ１を構成している。また、キャスター９０Ｄおよびキャスター９０Ｅは互いに隣接しており、第２キャスター組Ｇ２を構成している。このように、パーティション１が備えるキャスター群には、折り畳み状態において互いに隣接する２つのキャスターからなる複数のキャスター組Ｇ１、Ｇ２が含まれている。なお、キャスター群に含まれるキャスター組の数は３以上であってもよい。また、図７に示すキャスター９０Ａのように、キャスター組を構成しないキャスターが、キャスター群に含まれていてもよい。
【００３６】
ここで、キャスター組Ｇ１に含まれるキャスター９０Ｂ、９０Ｃにおいて、円弧Ｒ１同士は重複しているが、円弧Ｒ２同士は重複していない。同様に、キャスター組Ｇ２に含まれるキャスター９０Ｄ、９０Ｅにおいて、円弧Ｒ１同士は重複しているが、円弧Ｒ２同士は重複していない。すなわち、複数の円弧Ｒ１のうち少なくとも２つは重なっているが、３つ以上の円弧Ｒ１は連続して重なっていない。
これは、同一のキャスター組に含まれる２つのキャスターの中心軸線Ｏ同士の距離Ｌ１が、Ｄ１＋Ｄ２よりも大きく、２×Ｄ１よりも小さいためである。また、異なるキャスター組に含まれる任意の２つのキャスターの中心軸線Ｏ同士の間の距離Ｌ２が、２×Ｄ１よりも大きいためである。すなわち、Ｄ１＋Ｄ２＜Ｌ１＜２×Ｄ１かつ２×Ｄ１＜Ｌ２を満足しているためである。
【００３７】
パーティション１の移動方向を変化させたとき、同一のキャスター組に含まれる２つのキャスターの車輪９２は、互いの車輪軸Ｗ１が略平行な状態を保ったまま、それぞれのシャフト９１回りに旋回しようとする。このとき、Ｄ１＋Ｄ２＜Ｌ１を満たせば、仮に車輪９２同士が当接したとしても、一方の車輪９２が他方の車輪９２の向きに倣って旋回する。このように、当該２つのキャスターの車輪９２同士は、ロックせずにスムーズに旋回することができる。
【００３８】
その一方で、異なるキャスター組に含まれる２つのキャスターの中心軸線Ｏ同士の距離Ｌ２が２×Ｄ１よりも小さい場合には、１つの車輪９２が、他の２つの車輪９２に、同時に接触し得ることを意味する。このため、パーティション１の移動方向を変化させたとき、１つの車輪９２が２つの車輪９２にそれぞれ異なる方向から当接されることで、当該１つの車輪９２が中心軸線Ｏ回りに旋回することができず、ロックした状態となる場合がある。このような現象が生じると、パーティション１の移動方向と車輪９２の回転方向とが一致しなくなり、パーティション１を移動する際の操作性が低下してしまう。従って、異なるキャスター組に含まれるキャスターの中心軸線Ｏ同士の距離Ｌ２は、２×Ｄ１よりも大きくすることが好ましい。
【００３９】
以上説明したように、Ｄ１＋Ｄ２＜Ｌ１かつ２×Ｄ１＜Ｌ２を満足するように各キャスター９０Ａ〜９０Ｅを配置することで、キャスターの車輪９２がロック状態となることを抑止し、パーティション１を移動させる際の操作性を確保することができる。さらに、Ｌ１＜２×Ｄ２を満足させることで、同一のキャスター組に含まれるキャスター同士をなるべく近づけて配置し、多くのキャスターを設けることができる。
【００４０】
また、折り畳み状態において、パネル幅方向で隣接する２つのキャスター組Ｇ１、Ｇ２のうち、一方のキャスター組Ｇ１に含まれる１つのキャスター９０Ｃは直線Ｃよりも−Ｙ側に位置し、他方のキャスター組Ｇ２に含まれる１つのキャスター９０Ｅは直線Ｃよりも＋Ｙ側に位置している。より詳しくは、上記キャスター９０Ｃはパネル群３０の−Ｙ側の端部に位置し、上記キャスター９０Ｅはパネル群３０の＋Ｙ側の端部に位置している。
これにより、折り畳み状態において、パネル幅方向で隣接する２つのキャスター組Ｇ１、Ｇ２が、パネル群３０のパネル幅方向における両端部に位置することとなり、折り畳み状態におけるパネル群３０の姿勢の安定性を高めることができる。
【００４１】
また、キャスター組Ｇ１に含まれるキャスター９０Ｂ、９０Ｃは、直線Ｃよりも−Ｙ側に位置し、キャスター９０Ｂ、９０Ｃが設けられたパネル４０Ｃ、４０Ｄを接続するヒンジ８０Ｃは、＋Ｙ側に位置している。同様に、キャスター組Ｇ２に含まれるキャスター９０Ｄ、９０Ｅは、直線Ｃよりも＋Ｙ側に位置し、キャスター９０Ｄ、９０Ｅが設けられたパネル４０Ｆ、４０Ｇを接続するヒンジ８０Ｆは、−Ｙ側に位置している。つまり、同一のキャスター組に含まれる２つのキャスターは、直交方向で隣接する２つのパネルにそれぞれ設けられ、当該２つのパネルを互いに揺動可能に接続するヒンジは、パネル幅方向において、２つのキャスターが配された側の反対側に位置している。これにより、直交方向で隣接する２つのパネルを展開した際、同一のキャスター組に属する２つのキャスター同士が互いに大きく離間するため、展開状態におけるパネルの姿勢の安定性を高めることができる。
【００４２】
なお、本発明の技術的範囲は前記実施の形態に限定されるものではなく、本発明の趣旨を逸脱しない範囲において種々の変更を加えることが可能である。
【００４３】
例えば前記実施形態のパーティション１は５枚の副パネル４０Ｃ〜４０Ｇを備えているが、副パネル４０Ｃ〜４０Ｇの数は適宜変更可能である。例えば、４枚以下あるいは６枚以上の副パネル４０Ｃが設けられていてもよい。
【００４４】
また、図７では、１つのパネルに１つのキャスターが設けられているが、例えば１つのパネルに複数のキャスターが設けられていてもよい。
また、キャスター群には、３つ以上のキャスター組が含まれていてもよいし、キャスター組を構成しないキャスターが０個あるいは２個以上含まれていてもよい。なお、キャスター群には、３つ以上のキャスターが含まれるものとする。
【００４５】
また、キャスター９０Ａ〜９０Ｅは、シャフト９１および車輪９２以外の構成要素を備えていてもよい。例えば、キャスター９０Ａ〜９０Ｅは、車輪９２とともにシャフト９１の中心軸線Ｏ回りに旋回し、かつ車輪９２を覆うカバー体などを備えていてもよい。この場合、車輪軸Ｗ１および仮想線Ｗ２などは車輪９２を基準としつつ、寸法Ｄ１、Ｄ２は当該カバー体などを対象として設定されるべきである。これにより、Ｄ１＋Ｄ２＜Ｌ１＜２×Ｄ１かつ２×Ｄ１＜Ｌ２を満たすことによる、前述した作用効果を得ることができる。
【００４６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４７】
１…パーティション  １０…土台  １１…縦梁部  ２０…支柱  ２１…オフセット部材  ２２…揺動支持部  ３０…パネル群  ４０Ａ…第１パネル  ４０Ｂ…第２パネル  ４０Ｃ…副パネル  ６０…操作部  ８０Ａ〜８０Ｆ…ヒンジ  ９０Ａ〜９０Ｅ…キャスター  ９１…シャフト  ９２…車輪  Ａ１…第１領域  Ａ２…第２領域  Ｏ…中心軸線  Ｗ１…車輪軸  Ｗ２…仮想線  Ｘ…直交方向  Ｙ…パネル幅方向  Ｚ…上下方向
【図１】
2019082018.tif 000003
【図２】
2019082018.tif 000004
【図３】
2019082018.tif 000005
【図４】
2019082018.tif 000006
【図５】
2019082018.tif 000007
【図６】
2019082018.tif 000008
【図７】
2019082018.tif 000009